(57)【要約】      （修正有）【課題】地球環境に優しく食の・安全・安心が確保でき、容器内の内容物を吸い出し易く押し出し易い逆止弁付き容器また逆止弁付き注出ポンプの提供。【解決手段】容器口部１１に取り付ける逆止弁２において、前記逆止弁２は弾性膜体３と前記弾性膜体３と密着する球状面を有する栓部材４と流動体の吐出時に前記栓部材４の飛び出しを防ぐ掛止部５１を有する掛止部材５とで構成されていて、飛び出しを防ぐ掛止部５１と栓部材４とは弾性膜体３をかえさず直接数点で押さえ接触し流動体を注出する。  また、逆流防止機能は弾性膜体３と栓部材４との密着シールによりなる逆止弁２とした。  【選択図】図１
2006298474.tif 000002
【特許請求の範囲】
【請求項１】
容器口部（１１）に取り付ける逆止弁（２）において、前記逆止弁（２）は弾性膜体（３）と前記弾性膜体（３）と密着する球状面を有する栓部材（４）と流動体の吐出時に前記栓部材（４）の飛び出しを防ぐ掛止部（５１）を有する掛止部材（５）とで構成されていて、飛び出しを防ぐ掛止部（５１）と栓部材（４）とは弾性膜体（３）をかえさず直接数点で押さえ接触し流動体を注出する。また、逆流防止機能は弾性膜体（３）と栓部材（４）との密着シールによりなる逆止弁（２）。
【請求項２】
前記弾性膜体（３）の吐出口先端部（３２）の位置は栓部材（４）の水平方向の最大外径より吐出口側で掛止部（５１）との間に位置することを特徴とする請求項１に記載の逆止弁。
【請求項３】
前記弾性膜体（３）内には栓部材（４）と密着してシールを行う環状突起部（３１）が設けられていることを特徴とする請求項１または２に記載の逆止弁。
【請求項４】
請求項１から３のいずれかに記載の逆止弁（２）を容器口部（１１）また注出ポンプ吐出部に備えたことを特徴とする容器。
【発明の詳細な説明】
【技術分野】
【０００１】  本発明は、収縮可能な容器の容器口部また注出ポンプ吐出部に取り付け内容物を注出しまた容器内の不要な空気をガス抜きするための逆止弁に関する。
【背景技術】
【０００２】  一般に使用されている容器では、使うたびに外気が容器内に入り込み内容物の酸化を引き起こしたり雑菌の混入で汚染する可能性があるために、酸化防止剤や防腐剤等の添加剤が用いられているものが多い。しかし、これでは人が直接食したりまた肌に塗るようなことを繰り返している間にアトピー性皮膚炎など人体に悪影響を及ぼすとの多くの問題事例が報告されている。【０００３】  ところで近年、人に対する・安全・安心の向上を図る必要性から酸化防止剤や防腐剤等を添加しなくても内容物の品質が維持できる容器材料の開発や容器口部からの雑菌混入を防ぐ逆止弁の開発が進められている。
このような逆止弁および容器ならびに注出装置は、特開２００４−１４９２１５公報に開示されている。
【特許文献１】特開２００４−１４９２１５公報
【発明の開示】
【発明が解決しようとする課題】
【０００４】  特開２００４−１４９２１５公報の逆止弁は少容量用または滴下用には適する。しかし、逆止弁部の機構や吐出口先端部の口径などが制約され逆止弁部の流出抵抗が大きく多量の内容物を押し出すことが難しく大容量用としては適さないことから多量に注出する飲料用や食品用には不向きであった。【０００５】  本発明の目的は、内容物を吸い出し易く押し出し易い逆止弁の提供で、例えば、逆止弁キャップを取り付けた収縮可能な容器で飲料用の吸い出しソフトバック容器であれば人の口からの雑菌混入による汚染の心配がなくなる効果や、醤油やお酒などを出す際に逆止弁付きキャップを取り外し内容物を出した後に逆止弁付きキャップを取り付け容器内に入り込んだ空気を逆止弁から追い出し内容物の酸化を防ぐ効果も高い。このことは内容物の残量に対して容器の容積を適正に調節維持する収縮可能な容器、例えば、蛇腹型ペットボトル容器に逆止弁付きキャップを取り付ければ食の・安全・安心のさらなる確保に結び付く。また、逆止弁キャップ付き収縮可能な容器であれば食の・安全・安心が確保できるので容器の大容量化も可能となり、また蛇腹型で折り畳みができるペットボトルであれば水平方向の外力にも強く最終的には容器全体を薄くでき廃棄重量と廃棄容積の小さい地球環境に優し逆止弁キャップ付き容器の提供ができる。
【課題を解決するための手段】
【０００６】  本発明は、上記目的を達成するために以下の技術的手段を講じた。
第１に、容器口部（１１）に取り付ける逆止弁（２）において、前記逆止弁（２）は弾性膜体（３）と前記弾性膜体（３）と密着する球状面を有する栓部材（４）と流動体の吐出時に前記栓部材（４）の飛び出しを防ぐ掛止部（５１）を有する掛止部材（５）とで構成されていて、飛び出しを防ぐ掛止部（５１）と栓部材（４）とは弾性膜体（３）をかえさず直接数点で押さえ接触し流動体を注出する。また、逆流防止機能は弾性膜体（３）と栓部材（４）の密着シールによりなる逆止弁（２）とした。【０００７】  第２に、前記弾性膜体（３）の吐出口先端部（３２）の位置は栓部材（４）の水平方向の最大外径より吐出口側で掛止部（５１）との間に位置する逆止弁（２）とする。【０００８】  第３に、前記弾性膜体（３）内には栓部材（４）と密着してシールを行う環状突起部（３１）が設けられている逆止弁（２）とする。【０００９】  第４に、逆止弁（２）を容器口部（１１）また注出ポンプ吐出部に備えた収縮可能容器とする。
【発明の効果】
【００１０】  収縮可能な容器、特に飲料用や食品用のソフトバック容器また蛇腹型ペットボトル容器に逆止弁付きキャップを使用すれば、例えば飲料用の吸い出しソフトバック容器では人の口からの雑菌混入による汚染の心配がなくなり、また、食品用の蛇腹型ペットボトル容器で長期に使用する醤油などは容器内に入り込んだ空気を逆止弁からその都度追い出すことで酸化を防止できるので食の・安全・安心のさらなる確保が可能となる。
このことで容器の大容量化も可能となり、また蛇腹型で折り畳みできるペットボトルであれば全体を薄くできるので最終的には廃棄重量と廃棄容積の小さい地球環境に優しい容器となる。
【発明を実施するための最良の形態】
【００１１】  以下、本発明の実施の形態を図面を参照して説明する。
図１は、本発明の第一実施形態で、飲料用の吸い出し逆止弁付きソフトバック容器の概念図である。
逆止弁２の構成と作動や機能は、弾性膜体３と前記弾性膜体３と密着する球状面を有する栓部材４と流動体の吐出時に前記栓部材４の飛び出しを防ぐ掛止部５１を有する掛止部材５とで構成されていて、飛び出しを防ぐ掛止部５１と栓部材４とは弾性膜体３をかえさず直接３点押さえで接触し流動体を注出できる。【００１２】  作動や機能としては、流動体に加わった吐出力はまず栓部材４に加わり栓部材４を掛止部５１に押し当てる。そして吐出力は栓部材４と密着してシールを行う弾性膜体３の環状突起部３１の吐出口側近傍を押し広げ弾性膜体３と栓部材４と密着してシールを行う球状シール面を通り弾性膜体３の吐出口先端部３２から流動体が吐出する。
次に、逆流防止機能としては流動体の吐出を止めると同時に、弾性膜体３の弾性収縮力により弾性膜体３の吐出口先端部３２側にあった栓部材４を環状突起部３１側に引き戻し、これにより栓部材４と環状突起部３１とが完全に密着シールされ逆流防止機能を得ることができるようになっている。
従って、栓部材４の引き戻し効果を高めるために弾性膜体３の吐出口先端部３２の位置は、例えば、栓部材４が球体の場合には球心を通る水平方向の線に対する球心との角度θを略４０度から略６０度の範囲にするとよい。【００１３】  逆止弁２は大容量の注出を可能とするために弾性膜体３の吐出口先端部３２の位置は栓部材４の水平方向の最大外径より吐出口側で掛止部５１との間に位置しており、掛止部５１と栓部材４とは弾性膜体３をかえさず直接３点押さえで接触し流動体を注出する方式であり掛止部５１が弾性膜体３を押さえないので流出抵抗は生じず、また弾性膜体３の吐出口先端部３２の口径も大きくすることができ流出抵抗の小さい飲料用の吸い出し逆止弁２となっている。【００１４】  図２、図３は、本発明の第二実施形態で、図２は逆止弁キャップ付き蛇腹型ペットボトル容器の概念図で、図３は逆止弁キャップ付き蛇腹型ペットボトル容器の逆止弁キャップ８の拡大概略図である。
逆止弁キャップ８の構成と作動や機能は、図１の第一実施形態と基本は同様で弾性膜体３と前記弾性膜体３と密着する球状面を有する栓部材４と流動体の吐出時に前記栓部材４の飛び出しを防ぐ掛止部７１を有する掛止部材７と中栓部材７３で構成されていて、飛び出しを防ぐ掛止部７１と栓部材４とは弾性膜体３をかえさず直接３点押さえで接触し流動体を注出できる。【００１５】  例として、長期に使用する醤油容器の使い方について説明する。
逆止弁キャップ８の先端には滴下口７２があり蛇腹型ペットボトル容器６を押して少量の注出ができるようになっていて、その他の構成と作動や機能は図１の第一実施形態で説明した逆止弁２と同様であり流動体の注出と逆流防止機能に関する詳細な説明は省略する。
次に、逆止弁キャップ付き蛇腹型ペットボトル容器の逆止弁キャップ８を取り外し多量に醤油を出した後に逆止弁キャップ８を取り付け完全に固定シールした後、滴下口７２のキャップ９をゆるめた状態で蛇腹型ペットボトル容器６を真上から押し下げ気相部の空気を抜くことで醤油の酸化を防ぐ高機能の逆止弁キャップ８となっている。
前記蛇腹型ペットボトル容器６は、次回、醤油を使う際に逆止弁キャップ８を取り外しても蛇腹部分が折り畳まれていて簡単には復元し難い形状となっている。
その他の点は、図１の第一実施形態の構成と略同様であり同様の作動効果を奏する。【００１６】  なお、本発明は上記の実施形態に限らず、以下のような変更が可能である。
図１の第一実施形態の逆止弁２、また、図２、図３の第二実施形態の逆止弁キャップ８の概略図では、流動体に吐出力が加わっていない時に栓部材４と掛止部５１、７１とは若干の隙間を有しているが、この隙間を無くし最初から直接数点押さえで接触させる機構を採用してもよい。次に、弾性膜体３の材料はゴム系またプラスチック系などの弾性材料で作られた部品で、栓部材４は球状に限らず、ラグビーボール状の形状であってもよい。栓部材４の材料は天然素材、プラスチック材、金属、ガラス等、または粉体を混練りし成型された部品でこのものにメッキや蒸着加工を行ってもよい。
【産業上の利用の可能性】
【００１７】  本発明に係わる逆止弁２や逆止弁キャップ８とソフトバック容器１や蛇腹型ペットボトル容器６との組み合わせへの移行は食の・安全・安心のさらなる確保に結び付く。
【図面の簡単な説明】
【００１８】
【図１】図１は、本発明の第一実施形態で、飲料用の吸い出し逆止弁付きソフトバック容器の概念図である。
【図２】図２は、本発明の第二実施形態で、逆止弁キャップ付き蛇腹型ペットボトル容器の概念図である。
【図３】図３は、図２の逆止弁キャップ付き蛇腹型ペットボトル容器の逆止弁キャップの拡大概略図である。
【符号の説明】
【００１９】    １、６  ソフトバック容器、蛇腹型ペットボトル容器
２、８  逆止弁、逆止弁キャップ
３    弾性膜体
４、  栓部材
５、７  掛止部材
１１、６１  容器口部
３１  環状突起部
３２  吐出口先端部
５１、７１  掛止部
７２  滴下口
７３  中栓部材
【図１】
2006298474.tif 000003
【図２】
2006298474.tif 000004
【図３】
2006298474.tif 000005